(57)【要約】【課題】伸縮性や曲げ性をほとんど低下させずに、かつ、低コストで、アップリケに近い豪華で高級感のある見栄えのする柄を備えた布製品を提供することを目的とする。【解決手段】布製品１は、スポーツ用のユニフォーム等であって、生地となる布１０の表面に、昇華転写ブリントによるプリント柄２０と、該プリント柄２０の一部の上に重なる刺繍縫いｓ１による刺繍柄３０とが施されている。そのプリント柄２０は、例えば、チーム又はゼッケンを表わすものである。また、刺繍柄３０は、例えば、プリント柄２０の縁部の上に重なるものである。【選択図】図１
0003192480.tif 000002
【実用新案登録請求の範囲】
【請求項１】
布（１０）の表面に、昇華転写ブリントによるプリント柄（２０）と、該プリント柄（２０）の一部の上に重なる刺繍縫い（ｓ１，ｓ２，ｓ３）による刺繍柄（３０）とが施された布製品。
【請求項２】
布製品は、スポーツ用のユニフォームであり、プリント柄（２０）は、チーム又はゼッケンを表すものであり、刺繍柄（３０）は、前記プリント柄（２０）の縁部の上に重なるものであり、
刺繍縫い（ｓ１，ｓ２，ｓ３）は、サテンステッチ（ｓ１）であり、該サテンステッチ（ｓ１）は、布（１０）の裏面に貼付された不織布（４０）を包んでいる請求項１記載の布製品。
【請求項３】
刺繍縫い（ｓ１，ｓ２，ｓ３）は、サテンステッチ（ｓ１）であり、該サテンステッチ（ｓ１）は、布（１０）の表面との間にホットメルト接着剤（５０）を包んでおり、該ホットメルト接着剤（５０）は、布（１０）の表面及びサテンステッチ（ｓ１）に熱融着している請求項１又は２記載の布製品。
【考案の詳細な説明】
【技術分野】
【０００１】
本考案は、柄が施された布製品（例えば、スポーツ用のユニフォーム等）に関するものである。
【背景技術】
【０００２】
野球等のスポーツ用のユニフォームには、チームやゼッケンを表わす柄が施される。この柄はアップリケによるものが一般的である。すなわち、ユニフォームの布の表面に、チームやゼッケンを表わす形状に加工したアップリケ片を載せ、該アップリケ片の縁部をサテンステッチにより縫い付ける（特許文献１）。アップリケ片とサテンステッチにより、柄が若干の立体感を伴って浮き立つため、豪華で高級感のある見栄えとなる。また、スポーツ時に、ユニフォームがよじれるときでも、アップリケによる柄はアップリケ片と布とで二重になっていてよじれにくいため、チームやゼッケンが判別しやすいという利点もある。
【０００３】
しかし、上記のユニフォームは、アップリケによる柄がよじれにくい反面、上記のとおり二重になっていることで伸縮性や曲げ性が低下するため、スポーツ時に身体の動きに柔軟に追従せず、つっぱる感じを与えることがある。また、アップリケ片の加工は、コストが高いという問題もある。
【０００４】
そこで、近年は、チームやゼッケンを表わす柄をプリント（印刷）により施したスポーツ用のユニフォームが増えてきた。プリント方法にはインクジェットプリント、昇華転写ブリント（特許文献２）等がある。昇華転写ブリントは、インク柄を設けた転写シートを、布の表面に当てて加熱及び加圧し、インク柄を昇華させて布に付着させる方法であり、柄の耐久性に優れている。プリントにより柄を施せば、布の伸縮性や曲げ性を低下させることはなく、また、アップリケと比べて低コストとなる。
【０００５】
しかし、上記のユニフォームは、プリントによる柄が平板的なので、アップリケほどの豪華感や高級感はなく、やや見栄えが物足りない場合がある。また、スポーツ時に、ユニフォームがよじれると、プリントによる柄も一緒によじれるため、チームやゼッケンが判別しにくくなる。また、プリントでは、金、銀等の光沢色を出すことが難しいという問題もある。
【０００６】
【特許文献１】特開平０８−１４１２３９号公報
【特許文献２】特開２００２−１８０３０９号公報
【考案の開示】
【考案が解決しようとする課題】
【０００７】
そこで、本考案は、上記アップリケによる柄の、伸縮性や曲げ性の低下や高コストという課題と、上記プリントによる柄の、見栄え不足とよじれやすいという課題とを解決し、布の伸縮性や曲げ性をほとんど低下させずに、単なるプリントによる柄と比べてよじれにくく且つアップリケに近い豪華で高級感のある見栄えのする柄を低コストで備えた布製品を提供することを目的とする。
【課題を解決するための手段】
【０００８】
本考案の布製品は、布の表面に、昇華転写ブリントによるプリント柄と、該プリント柄の一部の上に重なる刺繍縫いによる刺繍柄とが施されたことを特徴とする。
【０００９】
ここで、布製品としては、特に限定されないが、被服、袋、ハンカチ、タオル、ぬいぐるみ、旗等を例示できる。被服としては、スポーツ用ユニフォーム、洋服、コート、ブラウス、ポロシャツ、下着、エプロン、スカーフ、靴下、帽子等を例示できる。スポーツ用ユニフォームとしては、野球、サッカー、バスケットボール、バレーボール、ハンドボール、ラグビー、ホッケー、テニス、卓球、剣道、柔道等のユニホームを例示できる。
【００１０】
プリント柄としては、特に限定されないが、文字柄、図形柄、記号柄、絵柄等を例示できる。
【００１１】
刺繍縫いのステッチとしては、特に限定されないが、サテンステッチ、チェーンステッチ、クロスステッチ、ブランケット（ボタンホール）ステッチ等を例示できる。サテンステッチは、豪華で高級感に富む点で、またステッチ数が多くプリント柄をよじれにくくする作用が強い点で、好ましい。
【００１２】
しかし、サテンステッチには布を縮める作用があるため、布が波打ったり、重ねるはずのプリント柄の所望の一部に対して刺繍柄がずれたりする問題がある。そこで、布の裏面に不織布を貼付して布を縮みにくくしてから、サテンステッチを形成することにより、これらの問題を解決することができる。この場合、サテンステッチは、製品化後においても、布の裏面に貼付された不織布を包んでいることになる。
【００１３】
また、サテンステッチは、単に布に施すのみだと、布からサテンステッチが浮き上がることで綺麗にまとまりにくくなったり、サテンステッチが解れやすくなる等の問題がある。そこで、布の表面にホットメルト接着剤のシートを被せてからサテンステッチを形成し、その後、ホットメルト接着剤のシートの、布の表面とサテンステッチとの間に包み込まれている部分以外の部分を剥がしてから、包み込まれている部分を加熱して布の表面とサテンステッチとに熱融着させることにより、これらの問題を解決することができる。すなわち、この場合、サテンステッチは、布の表面との間にホットメルト接着剤を包んでおり、該ホットメルト接着剤は、布の表面及びサテンステッチに熱融着していることになる。
【００１４】
プリント柄の一部の上に刺繍柄が重なることにより、プリント柄に刺繍柄による豪華感や高級感が加わって見栄えがよくなる。また、刺繍柄のステッチは、布の伸縮性や曲げ性をほとんど低下させずに、ステッチの補強作用によりプリント柄をよじれにくくする。プリント柄の一部の上に重なる刺繍柄は、さらにプリント柄からはみ出ていくものであってもよい。一方、プリント柄の全部に刺繍柄を重ねることは、プリント柄の全部を見えなく又は見えにくくするため、本考案から除外される。
【００１５】
プリント柄の一部の上に刺繍柄が重なる態様例は、次のとおりである。
（１）プリント柄の縁部の上に刺繍柄が重なる態様。
この態様には、刺繍柄がプリント柄の縁部に沿って延びる態様や、刺繍柄がプリント柄の縁部に交差して延びる態様が含まれる。刺繍柄がプリント柄の縁部に沿って延びる態様は、前述した刺繍柄がプリント柄をよじれにくくする作用が強い点で好ましい。同態様には、刺繍柄がプリント柄の縁取り柄となる態様や、刺繍柄がプリント柄の陰影柄となる態様が含まれる。
（２）プリント柄の内部の上に刺繍柄が重なる態様。
この態様には、刺繍柄がプリント柄のハイライト（反射光を表わす部分）柄となる態様や、刺繍柄がプリント柄に付加するワンポイント柄となる態様が含まれる。
【考案の効果】
【００１６】
本考案によれば、プリント柄の一部の上に刺繍柄が重なることにより、布の伸縮性や曲げ性をほとんど低下させずに、単なるプリントによる柄と比べてよじれにくく且つアップリケに近い豪華で高級感のある見栄えのする柄を施すことができ、また、アップリケによる柄よりも低コストに施すことができる。また、刺繍柄を金、銀等の糸で形成して光沢色にし、さらに豪華で高級感のある見栄えにすることもできる。
【図面の簡単な説明】
【００１７】
【図１】実施例１の布製品を示す平面図である。
【図２】実施例１の布製品の字柄の一つを示す（ａ）は平面図、（ｂ）はその部分拡大平面図、（ｃ）はその正面断面図（IIｃ−IIｃ断面図）である。
【図３】実施例１の布製品を製造する手順を（ａ）〜（ｃ）に示す平面図である。
【図４】実施例２の布製品の字柄の一つを示す（ａ）は平面図、（ｂ）はその部分拡大平面図、（ｃ）はその正面断面図（IVｃ−IVｃ断面図）である。
【図５】実施例２の布製品を製造する手順を（ａ）〜（ｄ）に示す平面図である。
【図６】実施例３において、（ａ）は布にプリント柄を施した状態を示す部分拡大平面図、（ｂ）はその布に更に刺繍柄を施した状態を示す部分拡大平面図である。
【図７】実施例４において、（ａ）は布にプリント柄を施した状態を示す部分拡大平面図、（ｂ）はその布に更に刺繍柄を施した状態を示す部分拡大平面図である。
【図８】実施例５において、（ａ）は布にプリント柄を施した状態を示す部分拡大平面図、（ｂ）はその布に更に刺繍柄を施した状態を示す部分拡大平面図である。
【図９】実施例６において、（ａ）は布にプリント柄を施した状態を示す部分拡大平面図、（ｂ）はその布に更に刺繍柄を施した状態を示す部分拡大平面図である。
【図１０】実施例７において、（ａ）は布にプリント柄を施した状態を示す部分拡大平面図、（ｂ）はその布に更に刺繍柄を施した状態を示す部分拡大平面図である。
【考案を実施するための形態】
【００１８】
本考案は、例えば、前述のとおりスポーツ用ユニフォームにおいて実施することができる。具体的には、スポーツ用ユニフォームの布の裏面に不織布が貼付けられ、布の表面にチーム又はゼッケンを表す昇華転写ブリントによるプリント柄と、該プリント柄の縁部の上に重なるサテンステッチの刺繍縫いによる刺繍柄とが施され、サテンステッチが、布の裏面に貼付された不織布を包んでいるという実施形態を例示できる。刺繍柄は、プリント柄の縁部に沿って延びるものでも、プリント柄の縁部に交差して延びるものでもよい。また、刺繍柄は、プリント柄の内部に重なるものとすることもできる。刺繍縫いのステッチは、サテンステッチ以外でもよい。
【実施例１】
【００１９】
図１〜図３に示す実施例１の布製品１は、スポーツ用のユニフォームであって、ユニフォームの生地となるポリエステル等の布１０の表面に、昇華転写ブリントによるプリント柄２０と、サテンステッチｓ１，ｓ１・・による刺繍柄３０とが施されている。その刺繍柄３０は、プリント柄２０の一部の上に、アップリケを介さずに重なっている。
【００２０】
詳しくは、プリント柄２０は、チーム又はゼッケンを表わす複数のプリント字柄２１，２１・・を含み構成されている。また、刺繍柄３０は、各プリント字柄２１，２１・・の縁取りを刺繍縫いで飾る複数の刺繍縁取柄３１，３１・・を含み構成されている。
【００２１】
そして、各刺繍縁取柄３１は、次のようにして、プリント字柄２１の縁部に沿って延びている。すなわち、各刺繍縁取柄３１は、その一部（略半分）が、プリント字柄２１の縁Ｅよりも内側（縁部）に入ることでプリント字柄２１の上に重なり、それ以外の部分（残りの略半分）が、プリント字柄２１の縁Ｅよりも外側に出ることでプリント字柄２１の上に重ならないようにして、プリント字柄２１の縁Ｅに沿って該縁Ｅの長さ方向に延びている。
【００２２】
また、各プリント字柄２１は、その縁部の全部が刺繍縁取柄３１によって覆われ、縁部以外の部分は露出している。そして、各刺繍縁取柄３１（刺繍柄３０）のサテンステッチｓ１，ｓ１・・は、刺繍時に布１０を縮みにくくするために該布１０の裏面に貼付された不織布４０の破片を包んでいる。
【００２３】
この布製品１は、次のようにして製造する。
［１］まず、図３（ａ）に示すように、ユニホームの生地となる布１０を用意する。
【００２４】
［２］次に、その布１０の表面に昇華転写ブリントを施すことで、該表面に、図３（ｂ）に示すように、複数のプリント字柄２１，２１・・からなるプリント柄２０を施す。その昇華転写ブリントは、インク柄を設けた転写シートを布１０の表面にあて、その転写シートを約２００℃に加熱しつつ布１０の表面に加圧することで行う。それにより、インク柄が昇華して布１０の繊維にインクが付着する。
【００２５】
［３］次に、その布１０に、図３（ｃ）に示すように、複数の刺繍縁取柄３１，３１・・からなる刺繍柄３０を施す。その刺繍柄３０は、次の手順で施す。すなわち、まず、布１０の裏面に、表面に糊の付いた不織布４０の該表面をあてる。次に、その不織布４０の表面の糊を加熱することで、該糊を溶かして布１０の裏面に不織布４０を貼付する。次に、その布１０を、不織布４０と共に工業用ミシンの刺繍枠にセットする。次に、その工業用ミシンの運転を開始して、プリント字柄２１の縁部に沿って、サテンステッチｓ１，ｓ１・・を施す。これによって、布１０の表面に、複数の刺繍縁取柄３１，３１・・からなる刺繍柄３０が形成される。そして、布１０の裏面には、サテンステッチｓ１，ｓ１・・により不織布４０が縫い付けられる。
【００２６】
［４］そして最後に、その布１０の裏面から不織布４０を剥がせば、図１に示す本実施例１の布製品１が完成する。その不織布４０は、サテンステッチｓ１，ｓ１の際に何回も刺繍針に貫通されて脆くなっているので手で簡単に破りながら剥がすことができる。但し、不織布４０の、布１０の裏面とサテンステッチｓ１，ｓ１・・とによって包み込まれた部分については、図２（ｂ）（ｃ）に示すように、完成後においても、そのまま残る。
【００２７】
本実施例１によれば、次のＡ〜Ｄの効果を得ることができる。
［Ａ］布１０の表面に昇華転写ブリントでプリント柄２０を施すことで、布１０に柄を、伸縮性や曲げ性をほとんど低下させることなく、かつ、低コストで施すことができる。
【００２８】
［Ｂ］プリント柄２０の一部の上に重なる刺繍柄３０を施すことで、柄の一部に立体感をだしてアップリケに近い豪華で高級感のある見栄えにすることができる。また、更に、その刺繍柄３０は、必要に応じて金色や銀糸等の光沢色の糸を使えば、光沢色を含ませることも簡単にできるので、その場合には、更に豪華で高級感のある見栄えにすることができる。そして、その刺繍柄３０は、アップリケを縫い付ける訳ではないので、伸縮性や曲げ性をほとんど低下させず、かつ、低コストである。
【００２９】
［Ｃ］プリント柄２０の一部の上に重なる刺繍柄３０を施すので、その刺繍柄３０のステッチによる補強作用で、布製品１（ユニフォーム）がよじれるときでも、チームやゼッケンを表わすプリント柄２０がよじれにくい。
【００３０】
［Ｄ］布１０の裏面に不織布４０を貼付して布１０を縮みにくくしてから、サテンステッチｓ１，ｓ１・・を施すため、サテンステッチｓ１，ｓ１・・により、布１０が波打ったり、重ねるはずのプリント柄２０の所望の一部に対して刺繍柄３０がずれたりする心配がない。
【実施例２】
【００３１】
図４，図５に示す実施例２の布製品２は、実施例１の布製品１と比較して、次の点で相違し、その他の点で同様である。すなわち、刺繍柄３０を構成するサテンステッチｓ１，ｓ１・・は、布１０の表面との間に透明のホットメルト接着剤５０を包んでいる。そして、そのホットメルト接着剤５０は、布１０の表面及びサテンステッチｓ１，ｓ１・・（刺繍柄３０）に熱融着している。それによって、布１０の表面にホットメルト接着剤５０を介してサテンステッチｓ１，ｓ１・・（刺繍柄３０）が接着されている。なお、図４（ａ）（ｂ）に破線のハッチングで示す領域は、透明で熱融着したホットメルト接着剤５０を示すものである。よって、断面を示すものではない。
【００３２】
この布製品２は、次のようにして製造する。
［１］まず、実施例１の［１］［２］と同様に、ユニホームの生地となる布１０の表面にプリント柄２０を施す。
【００３３】
［２］次に、その布１０に、複数の刺繍縁取柄３１，３１・・からなる刺繍柄３０を施す。その刺繍柄３０は、次の手順で施す。すなわち、まず、実施例１と同様に布１０の裏面に不織布４０を貼付するのに加え、図５（ａ）に示すように、布１０の表面に、厚さが５０〜１００μｍ程度で透明のホットメルト接着剤５０のシートを被せる。次に、その布１０を、不織布４０及びホットメルト接着剤５０のシートと共に工業用ミシンの刺繍枠にセットする。次に、その工業用ミシンの運転を開始して、実施例１と同様にサテンステッチｓ１，ｓ１・・を施す。これによって、図５（ｂ）に示すように、布１０の表面に、複数の刺繍縁取柄３１，３１・・からなる刺繍柄３０が形成される。そして、このサテンステッチｓ１，ｓ１・・によって、布１０の表面にはホットメルト接着剤５０のシートが縫い付けられ、布１０の裏面には不織布４０が縫い付けられる。
【００３４】
［３］次に、図５（ｃ）に示すように、その布１０の表面から、ホットメルト接着剤５０のシートの、布１０の表面とサテンステッチｓ１，ｓ１・・とによって包み込まれている部分以外の部分を剥がす。そのホットメルト接着剤５０のシートは、サテンステッチｓ１，ｓ１・・の際に何回も刺繍針に貫通されて脆くなっているので、該包み込まれている部分以外の部分は、手で簡単に破りながら剥がすことができる。その後、刺繍柄３０（サテンステッチｓ１，ｓ１・・）の上から熱を加えることで、図５（ｄ）に示すように、ホットメルト接着剤５０のシートの該包み込まれている部分を溶融させて、布１０の表面とサテンステッチｓ１，ｓ１・・とに熱融着させる。これにより、布１０の表面にホットメルト接着剤５０を介してサテンステッチｓ１，ｓ１・・（刺繍柄３０）が接着される。
【００３５】
［４］そして最後に、実施例１の［４］と同様に、その布１０の裏面から不織布４０を剥がせば、図４に示す本実施例２の布製品２が完成する。
【００３６】
実施例２によれば、実施例１に記載のＡ〜Ｄの効果に加えて、次のＥ，Ｆの効果を得ることができる。
［Ｅ］ホットメルト接着剤５０が、布１０の表面とサテンステッチｓ１，ｓ１・・とに熱融着することで、布１０の表面にホットメルト接着剤５０を介してサテンステッチｓ１，ｓ１・・が接着されるので、刺繍柄３０が綺麗にまとまるとともに、該サテンステッチｓ１，ｓ１・・が解れにくくなる。
【００３７】
［Ｆ］布１０の裏面に不織布４０を貼付してからサテンステッチｓ１，ｓ１・・を施すので、布１０にメッシュ等がある場合にも、該サテンステッチｓ１，ｓ１・・は、メッシュ等がある箇所においても不織布４０に対して縫い付けられることで、綺麗に施される。そして、その不織布４０は、布１０の表面にホットメルト接着剤５０を介してサテンステッチｓ１，ｓ１・・を接着させてから剥がすので、不織布４０を剥がした後においても、サテンステッチｓ１，ｓ１・・が布１０のメッシュ等によってガタガタになることはない。よって、サテンステッチｓ１，ｓ１・・（刺繍柄３０）が綺麗に仕上がる。
【実施例３】
【００３８】
図６に示す実施例３の布製品３は、実施例２の布製品２と比較して、次の点で相違し、その他の点で同様である。すなわち、刺繍柄３０は、プリント字柄２１に対して刺繍縫いで付加された刺繍絵柄３２（図では星柄のワンポイント柄）を含んでいる。本実施例３でも、実施例１，２に記載のＡ〜Ｅの効果を得ることができる。
【実施例４】
【００３９】
図７に示す実施例４の布製品４は、実施例２の布製品２と比較して、次の点で相違し、その他の点で同様である。すなわち、プリント柄２０は、プリント字柄２１，２１・・に加えて、各プリント字柄２１，２１の陰影の下書きとなるプリント陰影柄２３，２３・・を含み構成されている。そして、刺繍柄３０は、刺繍縁取柄３１，３１・・を備えず、代わりに、各プリント陰影柄２３，２３・・の上に重なる、プリント字柄２１，２１・・の陰影を刺繍縫いで飾る複数の刺繍陰影柄３３，３３・・を含んでいる。その刺繍陰影柄３３，３３・・は、プリント柄２０の縁部の全部ではなく、一部のみを覆っている。また、プリント柄２０は、そのプリント陰影柄２３，２３・・の全部が、刺繍陰影柄３３によって覆われ、プリント字柄２１，２１・・の大部分は、露出している。本実施例４でも、実施例１，２に記載のＡ〜Ｅの効果を得ることができる。
【実施例５】
【００４０】
図８に示す実施例５の布製品５は、実施例２の布製品２と比較して、次の点で相違し、その他の点で同様である。すなわち、プリント柄２０は、チームのマーク等を示すプリント絵柄２４（図では球の絵柄）を含んでいる。そして、刺繍柄３０は、そのプリント絵柄２４のハイライト（反射光を表わす部分）を刺繍縫いで飾る刺繍ハイライト柄３４を含んでいる。本実施例５でも、実施例１，２に記載のＡ〜Ｅの効果を得ることができる。
【実施例６】
【００４１】
図９に示す実施例６の布製品６は、実施例１の布製品１と比較して、次の点で相違し、その他の点で同様である。すなわち、プリント柄２０は、チームのマーク等を示すプリント絵柄２５（図では金槌の打撃部と柄との絵柄）を含んでいる。そして、刺繍柄３０は、そのプリント絵柄２５に対して刺繍縫いで付加された刺繍絵柄３５（図では打撃部を柄に結ぶ紐の絵柄）を含んでいる。その刺繍絵柄３５は、サテンステッチＳ１，Ｓ１・・ではなく、クロスステッチｓ２，ｓ２・・によって施されている。本実施例６でも、実施例１に記載のＡ〜Ｄの効果を得ることができる。
【実施例７】
【００４２】
図１０に示す実施例７の布製品７は、実施例１の布製品１と比較して、次の点で相違し、その他の点で同様である。すなわち、プリント柄２０は、チームのマーク等を示すプリント絵柄２６（図では山の絵柄）を含んでいる。そして、刺繍柄３０は、そのプリント絵柄２６に対して刺繍縫いで付加された刺繍絵柄３６（図では雲の絵柄）を含んでいる。その刺繍絵柄３６は、サテンステッチｓ１，ｓ１・・ではなく、チェーンステッチｓ３，ｓ３・・によって施されている。本実施例７でも、実施例１に記載のＡ〜Ｄの効果を得ることができる。
【００４３】
なお、本考案は上記実施例に限定されるものではなく、考案の趣旨から逸脱しない範囲で適宜変更して具体化することもできる。
【符号の説明】
【００４４】
１    布製品（実施例１）
２    布製品（実施例２）
３    布製品（実施例３）
４    布製品（実施例４）
５    布製品（実施例５）
６    布製品（実施例６）
７    布製品（実施例７）
１０    布
２０    プリント柄
３０    刺繍柄
４０    不織布
５０    ホットメルト接着剤
ｓ１    サテンステッチ（刺繍縫い）
ｓ２    クロスステッチ（刺繍縫い）
ｓ３    チェーンステッチ（刺繍縫い）
【図１】
0003192480.tif 000003
【図２】
0003192480.tif 000004
【図３】
0003192480.tif 000005
【図４】
0003192480.tif 000006
【図５】
0003192480.tif 000007
【図６】
0003192480.tif 000008
【図７】
0003192480.tif 000009
【図８】
0003192480.tif 000010
【図９】
0003192480.tif 000011
【図１０】
0003192480.tif 000012